(57)【特許請求の範囲】
【請求項１】
少なくとも一対の側板と一枚の背板とを有し、上面及び底面が開放された側枠と、該側枠の底面に対して水平方向にスライド自在に配置され、該側枠の底面を開閉する底板とを有し、水生植物を水底土砂ごと偏平な塊状に採取した植物土砂塊を収容する植物土砂塊収容バケットと、該バケットを上方より出入可能なバケット搭載部を有するとともに、該バケット搭載部の底面に上下に貫通した投下孔を有するバケット支持装置とを備え、前記バケット支持装置には、前記バケット搭載部に搭載されたバケットの側枠を移動不能に固定する側枠固定手段と、該バケットの底板をスライドさせる底板操作手段とを備え、前記バケットをバケット支持装置のバケット搭載部に搭載し、側枠固定手段によって側枠を固定した状態で底板操作手段によりバケットの底板を開閉できるようにしてなる水生植物移植装置。
【請求項２】
側板固定手段は、バケット支持装置上を前後方向にスライド自在に支持され、バケット搭載部に搭載されたバケットの側枠背面に当接した位置で固定ピンによって移動不能に固定される背面押え桁をもって構成してなる請求項１に記載の水生植物移植装置。
【請求項３】
底板操作手段は、一端がバケット支持装置側に支持され、他端をバケット搭載部に搭載されたバケットの底板の後端部に着脱自在に連結自在に備えた油圧シリンダーをもって構成してなる請求項１若しくは２に記載の水生植物移植装置。
【請求項４】
少なくとも一対の側板と一枚の背板とを有し、上面及び底面が開放された側枠と、該側枠の底面に対して水平方向にスライド自在に配置され、該側枠の底面を開閉する底板とを有し、水生植物を水底土砂ごと偏平な塊状に採取した植物土砂塊を収容する植物土砂塊収容バケットと、該バケットを上方より出入可能なバケット搭載部を有するとともに、該バケット搭載部の底面に上下に貫通した投下孔を有するバケット支持装置とを備え、前記バケット支持装置には、前記バケット搭載部に搭載されたバケットの側枠を移動不能に固定する側枠固定手段と、該バケットの底板をスライドさせる底板操作手段とを備え、前記バケットをバケット支持装置のバケット搭載部に搭載し、側枠固定手段によって側枠を固定した状態で底板操作手段によりバケットの底板を開閉できるようにしてなる水生植物移植装置を使用し、前記バケットをバケット支持装置と分離した状態でその中に植物土砂塊を収容しておき、該バケットを前記バケット支持装置のバケット搭載部に搭載し、側枠固定手段によって側枠を移動不能に固定するとともに、底板に底板操作手段を連結し、然る後クレーンなどの移動手段によりバケット支持装置を、水底の所望の移植位置に移動させ、該移植位置にて前記底板操作手段を作動させて底板を開き側にスライドさせることにより前記投下孔より、植物土砂塊を水底上に落下させ、この状態でバケット支持装置を上昇させることにより植物土砂塊を水底面上に設置することを特徴としてなる水生植物移植方法。
【請求項５】
側板固定手段は、バケット支持装置上を前後方向にスライド自在に支持され、バケット搭載部に搭載されたバケットの側枠背面に当接した位置で固定ピンによって移動不能に固定される背面押え桁をもって構成してなる請求項４に記載の水生植物移植方法。
【請求項６】
底板操作手段は、一端がバケット支持装置側に支持され、他端をバケット搭載部に搭載されたバケットの底板の後端部に着脱自在に連結自在に備えた油圧シリンダーをもって構成してなる請求項４若しくは５に記載の水生植物移植方法。
【発明の詳細な説明】
【０００１】
【発明の属する技術分野】
本発明は、アマモ等の水生植物を水底土砂ごと偏平な塊状に採取した植物土砂塊を、所定の移植場所の水底に整列して載置する水生植物移植装置および水生植物移植方法に関する。
【０００２】
【従来の技術】
アマモ等の水生植物を他の場所へ移植する場合、水生植物を水底土砂（地盤）ごと偏平な塊状に採取し、その植物土砂塊を所定の移植場所の水底に載置するようにして、移植が行われている。従来、植物土砂塊を移植場所の水底に載置する際には、水底にＨ型鋼等で組んだ枠を設置し、その枠に沿って多数の植物土砂塊を整列させていた。
【０００３】
【発明が解決しようとする課題】
上述の植物土砂塊を移植場所の水底に載置する方法では、水底にＨ型鋼等で組んだ枠を設置する作業、その枠に植物土砂塊を沿わせる作業などを、潜水士による水中作業により行っていたため、作業が煩雑で時間が掛る等の問題があった。
【０００４】
本発明は、このような従来の問題に鑑み、水生植物を水底土砂ごと偏平な塊状に採取した植物土砂塊を、水底に整列して載置する作業を、水上から行うことができる水生植物移植装置および水生植物移植方法を提供することを目的としたものである。
【０００５】
【課題を解決するための手段】
上述の如き従来の問題を解決し、所期の目的を達成するための本発明に係る水生植物移植装置の特徴は、少なくとも一対の側板と一枚の背板とを有し、上面及び底面が開放された側枠と、該側枠の底面に対して水平方向にスライド自在に配置され、該側枠の底面を開閉する底板とを有し、水生植物を水底土砂ごと偏平な塊状に採取した植物土砂塊を収容する植物土砂塊収容バケットと、該バケットを上方より出入可能なバケット搭載部を有するとともに、該バケット搭載部の底面に上下に貫通した投下孔を有するバケット支持装置とを備え、前記バケット支持装置には、前記バケット搭載部に搭載されたバケットの側枠を移動不能に固定する側枠固定手段と、該バケットの底板をスライドさせる底板操作手段とを備え、前記バケットをバケット支持装置のバケット搭載部に搭載し、側枠固定手段によって側枠を固定した状態で底板操作手段によりバケットの底板を開閉できるようにしてなることになる。
【０００６】
なお、側板固定手段は、バケット支持装置上を前後方向にスライド自在に支持され、バケット搭載部に搭載されたバケットの側枠背面に当接した位置で固定ピンによって移動不能に固定される背面押え桁をもって構成してなることが好ましい。
【０００７】
また、底板操作手段は、一端がバケット支持装置側に支持され、他端をバケット搭載部に搭載されたバケットの底板の後端部に着脱自在に連結自在に備えた油圧シリンダーをもって構成してなることが好ましい。
【０００８】
また、本発明に係る水生植物移植方法の特徴は、少なくとも一対の側板と一枚の背板とを有し、上面及び底面が開放された側枠と、該側枠の底面に対して水平方向にスライド自在に配置され、該側枠の底面を開閉する底板とを有し、水生植物を水底土砂ごと偏平な塊状に採取した植物土砂塊を収容する植物土砂塊収容バケットと、該バケットを上方より出入可能なバケット搭載部を有するとともに、該バケット搭載部の底面に上下に貫通した投下孔を有するバケット支持装置とを備え、前記バケット支持装置には、前記バケット搭載部に搭載されたバケットの側枠を移動不能に固定する側枠固定手段と、該バケットの底板をスライドさせる底板操作手段とを備え、前記バケットをバケット支持装置のバケット搭載部に搭載し、側枠固定手段によって側枠を固定した状態で底板操作手段によりバケットの底板を開閉できるようにしてなる水生植物移植装置を使用し、前記バケットをバケット支持装置と分離した状態でその中に植物土砂塊を収容しておき、該バケットを前記バケット支持装置のバケット搭載部に搭載し、側枠固定手段によって側枠を移動不能に固定するとともに、底板に底板操作手段を連結し、然る後クレーンなどの移動手段によりバケット支持装置を、水底の所望の移植位置に移動させ、該移植位置にて前記底板操作手段を作動させて底板を開き側にスライドさせることにより前記投下孔より、植物土砂塊を水底上に落下させ、この状態でバケット支持装置を上昇させることにより植物土砂塊を水底面上に設置することにある。
【０００９】
なお、側板固定手段は、バケット支持装置上を前後方向にスライド自在に支持され、バケット搭載部に搭載されたバケットの側枠背面に当接した位置で固定ピンによって移動不能に固定される背面押え桁をもって構成してなることが好ましい。
【００１０】
また、底板操作手段は、一端がバケット支持装置側に支持され、他端をバケット搭載部に搭載されたバケットの底板の後端部に着脱自在に連結自在に備えた油圧シリンダーをもって構成してなることが好ましい。
【００１１】
【発明の実施の形態】
次に本発明の実施の形態を図面について説明する。
【００１２】
図１は、バケット支持装置２０にバケット１０を搭載する様子を示しており、図２は、バケット１０を搭載したバケット支持装置２０を所定位置に移動させる様子を示している。そして、図３は、バケット支持装置２０上のバケット１０を操作する様子を示しており、図４は、バケット支持装置２０上のバケット１０から植物土砂塊５を水底０に降ろす様子を示している。
【００１３】
植物土砂塊５は、アマモ等の水生植物を水底土砂ごと偏平な略直方体形の塊状に採取したものであり、図２に示すように、多数の植物土砂塊５、５…が、それぞれバケット１０、１０…に収容された状態で、搬送台船３７により、採取場所から移植場所に係留された作業台船３０に搬送されるようになっている。
【００１４】
そして、作業台船３０に搬送された植物土砂塊５、５…は、順次、バケット１０ごとバケット支持装置２０に搭載し、作業台船３０に搭載されたクレーン３１により、植物土砂塊５を搭載したバケット支持装置２０を、ワイヤー３２を介して吊り上げて移動させ、水底０の所定の移植位置で、バケット支持装置２０上のバケット１０から植物土砂塊５を水底０に降ろすようにして、植物土砂塊５、５…を水底０に整列して載置する。
【００１５】
なお、植物土砂塊５を載置すべき水底０の移植位置には、竹棹等からなる案内標識３９を、水面１上に露出するように、予め潜水士により設置しておく。そして、作業台船３０上の作業員が、この案内標識３９を目印にすると共に潜水士の誘導に従って、クレーン３１を操作してバケット支持装置２０を移動させ、ロープ３３、３３を介してバケット支持装置２０の向きを調整して、水底０の所定の移植位置に、バケット支持装置２０を移動させる。
【００１６】
バケット１０は、図４（ｂ）に示すように、分離自在な底板１１と側枠１３とをもって構成されている。底板１１は、底面部１１ａと、その両側縁、後縁から僅かに立ち上がった側面部１１ｂ、１１ｂ、背面部１１ｃとからなり、上面及び前面が開放された長方形の略平板状に形成されている。また、側枠１３は、一対の側板１３ｂ、１３ｂと一枚の背板１３ｃとからなり、上面及び底面及び前面が開放された略コ字形の枠状に形成されている。
【００１７】
そして、バケット１０は、植物土砂塊５が収容された状態では、図１（ｂ）に示すように、側枠１３が底板１１上に前後（水平方向）にスライド自在に装着されており、植物土砂塊５を、底板１１により下方から支持し、側枠１３により両側方および後方から支持するようになっている。
【００１８】
バケット支持装置２０は、図１（ａ１）に示すように、底面部２１ａ、側面部２１ｂ、２１ｂ、背面部２１ｃ、正面部２１ｄからなる略直方体形の箱状のフレーム２１を備えており、フレーム２１上には、横長の背面押え桁２５が、側面部２１ｂ、２１ｂに跨がって底面部２１ａと間隔を開けて、前後にスライド可能に設けられている。なお、背面押え桁２５の両側端部には、側面部２１ｂ、２１ｂに対して円滑にスライドさせるため、ローラーが装着されている。
【００１９】
そして、バケット支持装置２０の前側部分には、フレーム２１の正面部２１ｄ、側面部２１ｂ、２１ｂの前側部分と背面押え桁２５とをもって、バケット１０の大きさに対応した長方形の枠状のバケット搭載部が構成されている。そして、バケット搭載部の底方、即ち、フレーム２１の底面部２１ａの前側部分には、植物土砂塊５の大きさに対応した略長方形の落下孔２２が上下に貫通して設けられている。
【００２０】
また、バケット支持装置２０には、フレーム２１の底面部２１ａの後側部分に、底板操作手段を構成する油圧シリンダー２７、２７が設けられており、油圧シリンダー２７、２７には、ラム２７ａ、２７ａが、前後に突出後退自在に設けられている。そして、油圧シリンダー２７、２７は、図２に示すように、油圧制御ライン３５を介して作業台船３０に接続されており、水上の作業台船３０から操作されるようになっている。
【００２１】
そして、バケット支持装置２０にバケット１０を搭載する作業は、作業台船３０上で行われ、図１（ａ１）に示すように、バケット支持装置２０の背面押え桁２５を後方へ移動した状態にしておき、フレーム２１の前側部分のバケット搭載部にバケット１０を搭載した後、図１（ａ２）に示すように、背面押え桁２５を前方へ移動させて固定ピン２５ａでフレーム２１に固定して、バケット１０の側枠１３の背面側を押さえ、更に、油圧シリンダー２７、２７のラム２７ａ、２７ａを前方に突出させて、ラム２７ａ、２７ａの前端部分をバケット１０の底板１１にピンにより接続する。
【００２２】
そして、図２に示すように、作業台船３０のクレーン３１によりバケット支持装置２０を水底０の所定位置に移動させた後に、図３、４に示すように、バケット支持装置２０上のバケット１０から植物土砂塊５を水底０に降ろすようにして、植物土砂塊５を水底０に載置するが、この載置作業も、水上の作業台船３０からの操作により行う。
【００２３】
即ち、図３に示すように、油圧シリンダー２７、２７を油圧制御ライン３５を介して作業台船３０から操作して、ラム２７ａ、２７ａを後退させ、バケット１０の底板１１を側枠１３に対して後方へスライドさせる。すると、バケット１０に搭載されていた植物土砂塊５が、フレーム２１の降下孔２２を介して水底０に接地する。その状態で、図４に示すように、クレーン３１を操作してバケット支持装置２０を上昇させると、植物土砂塊５は降下孔２２を通って水底０上に残り、バケット支持装置２０及びバケット１０のみが上昇するので、植物土砂塊５を乱すことなく好適に水底０に載置することができる。
【００２４】
こうして１つの植物土砂塊５の水底０への載置作業が終了すると、クレーン３１を操作してバケット支持装置２０を作業台船３０上に戻し、バケット支持装置２０から空のバケット１０を取り外して、次の植物土砂塊５をバケット１０ごとバケット支持装置２０に搭載するようにして、多数の植物土砂塊５、５…を、順次、水上の作業台船３０から操作されるバケット支持装置２０により水底０に整列して載置する。
【００２５】
このように、植物土砂塊５、５…を水底０に載置する作業の内、潜水士による水中作業は、案内標識３９の設置作業又はバケット支持装置２０の誘導作業だけであり、殆どの作業は水上の作業台船３０で行うことができるため、多数の植物土砂塊５、５…を水底０に整列して載置する作業を効率的に行うことができる。
【００２６】
【実施例】
植物土砂塊を３ｍ2 ごとに採取して移植作業を実施したところ、植物土砂塊の水底への載置作業のサイクルタイムは、１サイクル約１５分で、植物土砂塊の採取作業のサイクルタイムと略等しくなった。また、隣接して載置された植物土砂塊の間隙は、３０ｃｍ程度で、多数の植物土砂塊を略隙間なく整列して載置することができた。
【００２７】
【発明の効果】
上述のように、本発明は、少なくとも一対の側板と一枚の背板とを有し、上面及び底面が開放された側枠と、側枠の底面に対して水平方向にスライド自在に配置され、側枠の底面を開閉する底板とを有し、水生植物を水底土砂ごと偏平な塊状に採取した植物土砂塊を収容する植物土砂塊収容バケットと、バケットを上方より出入可能なバケット搭載部を有するとともに、バケット搭載部の底面に上下に貫通した投下孔を有するバケット支持装置とを備え、バケット支持装置には、バケット搭載部に搭載されたバケットの側枠を移動不能に固定する側枠固定手段と、バケットの底板をスライドさせる底板操作手段とを備え、バケットをバケット支持装置のバケット搭載部に搭載し、側枠固定手段によって側枠を固定した状態で底板操作手段によりバケットの底板を開閉できるようにしてなる水生植物移植装置を使用し、バケットをバケット支持装置と分離した状態でその中に植物土砂塊を収容しておき、バケットをバケット支持装置のバケット搭載部に搭載し、側枠固定手段によって側枠を移動不能に固定するとともに、底板に底板操作手段を連結し、然る後クレーンなどの移動手段によりバケット支持装置を、水底の所望の移植位置に移動させ、移植位置にて底板操作手段を作動させて底板を開き側にスライドさせることにより投下孔より、植物土砂塊を水底上に落下させ、この状態でバケット支持装置を上昇させることにより植物土砂塊を水底面上に設置することによって、多数の植物土砂塊を水底に整列して載置する作業を、水上から効率的に行うことができる。
【図面の簡単な説明】
【図１】  本発明の実施の形態であって、バケット支持装置にバケットを搭載する様子（ａ１、ａ２）、バケット支持装置を省略したバケットのみの状態（ｂ）を示す斜視図である。
【図２】  バケットを搭載したバケット支持装置を所定位置に移動させる様子を示す斜視図である。
【図３】  バケット支持装置上のバケットを操作する様子（ａ）、バケット支持装置を省略したバケットのみの状態（ｂ）を示す斜視図である。
【図４】  バケット支持装置上のバケットから植物土砂塊を水底に降ろす様子（ａ）、バケット支持装置を省略したバケットのみの状態（ｂ）を示す斜視図である。
【符号の説明】
０  水底
１  水面
５  植物土砂塊
１０  バケット
１１  底板
１１ａ  底面部
１１ｂ  側面部
１１ｃ  背面部
１３  側枠
１３ｂ  側板
１３ｃ  背板
２０  バケット支持装置
２１  フレーム
２１ａ  底面部
２１ｂ  側面部
２１ｃ  背面部
２１ｄ  正面部
２２  降下孔
２３  吊部
２５  背面押え桁
２５ａ  固定ピン
２７  油圧シリンダー
２７ａ  ラム
３０  作業台船
３１  クレーン
３２  ワイヤー
３３  ロープ
３５  油圧制御ライン
３７  搬送台船
３９  案内標識
【図１】
0003861255.tif 000002
【図２】
0003861255.tif 000003
【図３】
0003861255.tif 000004
【図４】
0003861255.tif 000005